(57)【要約】【課題】本発明は、複数のスピーカに対する設定操作を一段と簡易に実行させ得るようにする。【解決手段】本発明は、マルチチャンネルに対応した複数のスピーカ４を接続対象としたホームサーバ２であって、複数の音場モードのうち、選択された音場モードに基づく音場を、スピーカ４を介して形成するディジタル信号処理部１６、配信処理部１７及びアナログ信号処理部１８と、各音場モードと、当該音場モードに対する設定内容との対応付けを一覧表示するように、表示手段を制御する制御部１０及びグラフィック処理部１５とを設けるようにした。【選択図】図２
2008072400.tif 000002
【特許請求の範囲】
【請求項１】
マルチチャンネルに対応した複数のスピーカを接続対象とした音響装置であって、
複数の音場モードのうち、選択された音場モードに基づく音場を形成する音場形成手段と、
表示手段を制御して、上記複数の音場モードと、当該音場モードに対する設定内容との対応付け表を表示する表示制御手段と
を具えることを特徴とする音響装置。
【請求項２】
上記表示制御手段は、
上記複数の音場モードのうち、選択された音場モードの説明を、上記対応付け表と同一画面内に表示する
ことを特徴とする請求項１に記載の音響装置。
【請求項３】
上記表示制御手段は、
上記複数の音場モードをジャンルごとに並べるとともに、各ジャンルに割り当てられた操作子のうち、操作された操作子に対応するジャンルに属する音場モードの先頭の項目に、カーソルを移動する
ことを特徴とする請求項１に記載の音響装置。
【請求項４】
上記表示制御手段は、
上記音場モードに対する設定欄の１つに、上記音場モードにおけるエフェクトを全体として調整可能である場合、その調整可能である音場モードに対応させて、当該エフェクト全体に対する第１の調整パラメータを比率により表示する
ことを特徴とする請求項１に記載の音響装置。
【請求項５】
上記表示制御手段は、
上記音場モードに対する設定欄の１つに、上記音場モードにおけるエフェクトを部分的に調整可能である場合、その調整可能である音場モードに対応させて、当該調整可能であることを表す識別子を表示する
ことを特徴とする請求項１に記載の音響装置。
【請求項６】
上記表示制御手段は、
上記識別子が選択された場合、選択された識別子に対応する音場モードにおけるエフェクトの一部に対する第２の調整パラメータを表示するとともに、上記エフェクトの一部の状態を表した状態図形を、所定のリスニングルームに対応する立体図形上に表示する
ことを特徴とする請求項５に記載の音響装置。
【請求項７】
上記表示制御手段は、
選択された識別子に対応する音場モードにおけるエフェクトの一部に対する調整内容の説明を、上記状態図形及び上記立体図形と同一画面内に表示する
ことを特徴とする請求項６に記載の音響装置。
【請求項８】
上記表示制御手段は、
上記第２の調整パラメータの調整に応じて、上記エフェクトの一部の状態を表した図形を可変する
ことを特徴とする請求項６に記載の音響装置。
【請求項９】
マルチチャンネルに対応した複数のスピーカを接続対象とした音響装置の音響設定方法であって、
表示手段を制御して、複数の音場モードと、当該音場モードに対する設定内容との対応付け表を表示する第１のステップと、
複数の音場モードのうち、選択された音場モードに基づく音場を、上記対応付け表を介して設定された設定内容にしたがって形成する第２のステップと
を具えることを特徴とする音響設定方法。
【請求項１０】
表示手段に対して、複数の音場モードと、当該音場モードに対する設定内容との対応付け表を表示すること、
マルチチャンネルに対応した複数のスピーカを接続対象とした音響装置の信号処理手段に対して、複数の音場モードのうち、選択された音場モードに基づく音場を、上記対応付け表を介して設定された設定内容にしたがって形成すること
を実行させることを特徴とするプログラム。
【発明の詳細な説明】
【技術分野】
【０００１】
本発明は、音響装置、音場設定方法及びプログラムに関し、音場設定する場合に好適なものである。
【背景技術】
【０００２】
従来、一般的なマルチチャンネル再生機能を有するＡＶシステムとしては、例えばＤＶＤビデオの音声フォーマットが５．１ｃｈであることに対応したフロント左スピーカＦＬ、フロント右スピーカＦＲ、センタースピーカＣ、サラウンド左スピーカＳＬ、サラウンド右スピーカＳＲ及びサブウーファーＳＷからなる５．１ｃｈスピーカシステムがある。
【０００３】
近年では、DOLBY DIGITAL EX（商標）や、dts-ES（商標）等の６．１ｃｈの再生出力に対応したサラウンドバックスピーカを標準で装備しているＡＶシステムもあり、さらにはサラウンドバックスピーカを２つにした７．１ｃｈや、サラウンドスピーカを４つにした９．１ｃｈのスピーカシステムが増えている。
【０００４】
この種のマルチチャンネルに対応したＡＶシステムにおいては、映画館にいるような音場効果などを与えるＤＳＰ処理回路を設けたものがある（例えば、特許文献１参照）。
【特許文献１】特開２０００−０９２５８７公報
【発明の開示】
【発明が解決しようとする課題】
【０００５】
ところでかかる構成のＡＶシステムにおいては、複数の音場効果を選択的に設定可能とし、当該設定された音場効果を構築するようにした場合、どのような音場効果が用意され、その効果がどのようなものであるかを、一々設定して聴取しなければならず、ユーザにとっては非常に煩雑な設定操作を強いるという問題があった。
【０００６】
通常、ＡＶシステムではオーディオアンプ等の音響機器に備えられたユーザインタフェースとして表示能力の乏しいＦＬ(Fluorescent Lamp)管を用いていることが多く、各音場効果の項目をユーザに設定させる場合、設定操作が複雑になり、誰でもが簡単に設定操作し得る操作環境ではなかった。
【０００７】
本発明は以上の点を考慮してなされたもので、一段と容易に音場を設定操作し得る音響装置、音場設定方法及びプログラムを提案しようとするものである。
【課題を解決するための手段】
【０００８】
かかる課題を解決するため本発明は、マルチチャンネルに対応した複数のスピーカを接続対象とした音響装置であって、複数の音場モードのうち、選択された音場モードに基づく音場を形成する音場形成手段と、表示手段を制御して、上記複数の音場モードと、当該音場モードに対する設定内容との対応付け表を表示する表示制御手段とを設けるようにしたことにより、音場の内容及び設定内容をユーザに対して視覚を通じて直感的に認識させた上で設定させることができ、この結果、一段と容易に音場を設定操作することができる。
【０００９】
また本発明は、マルチチャンネルに対応した複数のスピーカを接続対象とした音響装置の音響設定方法であって、表示手段を制御して、複数の音場モードと、当該音場モードに対する設定内容との対応付け表を表示する第１のステップと、複数の音場モードのうち、選択された音場モードに基づく音場を、上記対応付け表を介して設定された設定内容にしたがって形成する第２のステップとを設けるようにしたことにより、音場の内容及び設定内容をユーザに対して視覚を通じて直感的に認識させた上で設定させることができ、この結果、一段と容易に音場を設定操作することができる。
【００１０】
さらに本発明は、プログラムであって、表示手段に対して、複数の音場モードと、当該音場モードに対する設定内容との対応付け表を表示すること、マルチチャンネルに対応した複数のスピーカを接続対象とした音響装置の信号処理手段に対して、複数の音場モードのうち、選択された音場モードに基づく音場を、上記対応付け表を介して設定された設定内容にしたがって形成することを実行させるようにしたことにより、音場の内容及び設定内容をユーザに対して視覚を通じて直感的に認識させた上で設定させることができ、この結果、一段と容易に音場を設定操作することができる。
【発明の効果】
【００１１】
本発明によれば、複数の音場モードと、当該音場モードに対する設定内容との対応付け表を表示するようにしたことにより、音場の内容及び設定内容をユーザに対して視覚を通じて直感的に認識させた上で設定させることができ、この結果、一段と容易に音場を設定操作し得る音場設定装置、音場設定方法及びプログラムを実現できる。
【発明を実施するための最良の形態】
【００１２】
以下図面について、本発明を適用した一実施の形態を詳述する。
【００１３】
（１）本実施の形態によるＡＶシステムの全体構成
図１に示すように、本実施の形態によるＡＶシステム１は、ホームサーバ２に対して、複数の再生装置３、複数のスピーカ４及び表示手段として例えばＬＣＤ(Liquid Crystal Display)５をそれぞれ接続することにより構成される。
【００１４】
この実施の形態では、再生装置３として、例えば、ＤＶＤ(Digital Versatile Disk)プレーヤ３Ａ、ＣＤ(Compact Disk)プレーヤ３Ｂ及び携帯型音楽プレーヤ３Ｃが、ホームサーバ２に対してそれぞれ接続される。
【００１５】
またこの実施の形態では、スピーカ４として、例えば、７．１ｃｈサラウンドシステムに対応する左フロントスピーカ４ＦＬ、右フロントスピーカ４ＦＲ、センタスピーカ４ＣＴ、左サラウンドスピーカ４ＳＬ、右サラウンドスピーカ４ＳＲ、左サラウンドバックスピーカ４ＳＢＬ、右サラウンドバックスピーカ４ＳＢＲ及びサブウーファ４ＳＷがそれぞれホームサーバ２に対して接続される。
【００１６】
これら各スピーカ４（４ＦＬ、４ＦＲ、４ＣＴ、４ＳＬ、４ＳＲ、４ＳＢＬ、４ＳＢＲ及び４ＳＷ）は、リスニングルームの状態や、実現したい音場空間などに応じて適宜配置されるようになされている。
【００１７】
このＡＶシステム１は、音場空間に関する各種設定画面をＬＣＤ５に表示し、リモートコントローラＲＣＬなどの操作に応じて設定された設定内容を保存するとともに、該設定内容に応じた音場空間で、ユーザに音を聴取させ得るようになされている。
【００１８】
（２）ホームサーバの構成
次に、このホームサーバ２の回路構成を説明する。ホームサーバ２は、図２に示すように、制御部１０に対して、操作入力部１１、インターフェース１２、データ記憶媒体１３、ＦＬ管（蛍光表示管）１４、グラフィック処理部１５、ディジタル信号処理部１６、配信処理部１７及びアナログ信号処理部１８をそれぞれ接続することにより構成される。
【００１９】
制御部１０は、このＡＶシステム１全体の制御を司るＣＰＵ(Central Processing Unit)と、基本プログラム及び各種アプリケーションプログラムが格納されるＲＯＭ(Read Only Memory)と、当該ＣＰＵのワークメモリとして用いられるＲＡＭ(Random Access Memory)とを含むマイクロコンピュータとして構成されている。
【００２０】
操作入力部１１は、このホームサーバ２の筺体及びリモートコントローラＲＣＬ（図１）に設けられた各種操作子（ボタンやロータリエンコーダ（回転自在のノブ））の操作に対応する制御データを生成し、これを制御部１０へ送出する。
【００２１】
インターフェース１２は、例えばＵＳＢ(Universal Serial Bus)でなり、制御部１０から供給される制御データを、このインターフェース１２に接続された例えばＤＶＤプレーヤ３Ａ、ＣＤプレーヤ３Ｂ及び携帯型音楽プレーヤ３Ｃへ送出する一方、当該ＤＶＤプレーヤ３Ａ、ＣＤプレーヤ３Ｂ及び携帯型音楽プレーヤ３Ｃにより生成された制御データを、制御部１０へ送出する。
【００２２】
データ記憶媒体１３は、例えばＥＥＰＲＯＭ（Electrically Erasable Programmable Read Only Memory）でなり、当該データ記憶媒体１３には、音場空間に関する各種設定内容を表すデータ（以下、これを設定データと呼ぶ）Ｄ１と、ＧＵＩ(Graphical User Interface)のテンプレートとなる各種画面のデータ（以下、これを設定画面データと呼ぶ）Ｄ２などが記憶される。
【００２３】
ＦＬ管１４は、ホームサーバ２の筐体表面に設けられており、制御部１０により生成されたコンテンツの内容を表す文字データや、音場空間に関する設定項目を表す文字データに応じた文字を表示するようになされている。
【００２４】
グラフィック処理部１５には、ＤＶＤプレーヤ３Ａによって再生されたビデオ信号が、図示しないディジタルビデオ入力端子、アナログビデオ入力端子又はコンポーネントビデオ入出力端子を介して入力される。またグラフィック処理部１５には、データ記憶媒体１３に記憶された設定データＤ１及び設定画面データＤ２が入力される。
【００２５】
グラフィック処理部１５は、ビデオ信号が入力された場合、そのビデオ信号に対して所定の信号処理を施し、その結果として得られるビデオ信号をＬＣＤ５（図１）に出力することによって当該ビデオ信号に応じた映像を表示する。
【００２６】
一方、グラフィック処理部１５は、設定データＤ１及び設定画面データＤ２が入力された場合、これら設定データＤ１及び設定画面データＤ２に基づいてＧＵＩ画面データＤ３を生成し、これをＬＣＤ５（図１）に出力することによって当該ＧＵＩ画面データＤ３に応じたＧＵＩ画面を表示するようになされている。
【００２７】
ディジタル信号処理部１６には、ＤＶＤプレーヤ３Ａ又は携帯型音楽プレーヤ３Ｃによって再生される光ディジタルオーディオ信号が、ディジタル入出力端子を介してＤＩＲ(Digital Interface Receiver)３１に入力される。またディジタル信号処理部１６には、ＣＤプレーヤ３Ｂから再生されるアナログオーディオ信号が、アナログ入出力端子を介してディジタル信号処理部１６のＡＤＣ(Analog Digital Converter)３２に入力される。
【００２８】
ＤＩＲ３１は、光ディジタルオーディオ信号を電気信号によるディジタルオーディオ信号に変換し、これをデコーダ／ＤＳＰ(Digital Signal Processor)３３へ送出する。ＡＤＣ３２は、アナログオーディオ信号をディジタルオーディオ信号に変換し、これをデコーダ／ＤＳＰ３３へ送出する。
【００２９】
デコーダ／ＤＳＰ３３は、ＤＩＲ３１又はＡＤＣ３２から供給されるディジタルオーディオ信号に対して各種処理を必要に応じて施すようになされている。具体的にはディジタルオーディオ信号が圧縮されている場合、デコーダ／ＤＳＰ３３は、当該圧縮方式に応じた伸長処理を施す。また、ディジタルオーディオ信号が７．１ｃｈ等の多重化信号である場合、デコーダ／ＤＳＰ３３は、チャンネル毎のディジタルオーディオ信号に分離する。
【００３０】
さらにデコーダ／ＤＳＰ３３は、音場に関する設定データＤ１が制御部１０から与えられている場合、該設定データＤ１に基づいて、例えばある周波数帯の信号に対する振幅や位相を調整したり、チャンネル数を擬似的に増減するなどの処理を実行する。
【００３１】
デコーダ／ＤＳＰ３３は、このような各種信号処理を適宜施し、当該処理後に得られるディジタルオーディオ信号をＤＡＣ(Digital Analog Converter)３４へ送出する。このディジタルオーディオ信号は、ＤＡＣ３４によりアナログオーディオ信号に変換され、配信処理部１７へ出力される。
【００３２】
配信処理部１７は、ＤＡＣ３４から入力されるアナログオーディオ信号を、後段のアナログ信号処理部１８のうち、該アナログオーディオ信号のチャンネルに対応するボリューム調整部４１１〜４１８へ送出する。
【００３３】
ボリューム調整部４１１〜４１８は、配信処理部１７から入力されるアナログオーディオ信号のレベルを、操作入力部１１から与えられるボリューム変更命令にしたがってチャンネル毎に調整し、当該調整後のアナログオーディオ信号をアンプ４２１〜４２８へ送出する。
【００３４】
このチャンネル毎のアナログオーディオ信号は、アンプ４２１〜４２８により、各スピーカ４（４ＦＬ、４ＦＲ、４ＣＴ、４ＳＬ、４ＳＲ、４ＳＢＬ、４ＳＢＲ及び４ＳＷ）を駆動できるように増幅され、リレー４３１〜４３８を介して出力される。因みに、リレー４３１〜４３８は、例えば、操作入力部１１から与えられる命令により、使用しないスピーカへの出力を遮断することもできる。
【００３５】
（３）制御部の具体的な処理内容
次に、このホームサーバ２における制御部１０の具体的な処理内容を説明する。制御部１０は、ＲＯＭに記憶された基本プログラム及び各種アプリケーションプログラムに従い、操作入力部１１又はインターフェース１２から与えられる制御データと、データ記憶媒体１３に記憶された設定データＤ１及び設定画面データＤ２とに基づいて、表示部１４、グラフィック処理部１５、ディジタル信号処理部１６、配信処理部１７及びアナログ信号処理部１８を適宜制御することによって各種処理を実行する。
【００３６】
（３−１）再生処理
制御部１０は、例えば再生命令を表す制御データが与えられた場合、この再生命令の対象とされるＤＶＤプレーヤ３Ａ、ＣＤプレーヤ３Ｂ又は携帯型音楽プレーヤ３Ｃを駆動するとともに、当該プレーヤ３Ａ、３Ｂ又は３Ｃから供給されるコンテンツ情報に基づいて当該コンテンツの内容を表す文字データを生成し、当該文字データに応じた文字を表示部１４及びＬＣＤ５に表示する。
【００３７】
また制御部１０は、ＤＶＤプレーヤ３Ａから供給されるビデオ信号に基づく映像を、グラフィック処理部１５を介してＬＣＤ５（図１）に表示する。因みに、制御部１０は、ＣＤプレーヤ３Ｂ又は携帯型音楽プレーヤ３Ｃの再生中にあっては、各ソースに合わせた映像をグラフィック処理部１５により生成し、これをＬＣＤ５に表示する。
【００３８】
一方、制御部１０は、データ記憶媒体１３に記憶された設定データＤ１に基づいてディジタル信号処理部１６、配信処理部１７及びアナログ信号処理部１８を制御する。そして制御部１０は、ＤＶＤプレーヤ３Ａ、ＣＤプレーヤ３Ｂ又は携帯型音楽プレーヤ３Ｃから供給されるオーディオ信号に基づく音を、ディジタル信号処理部１６、配信処理部１７及びアナログ信号処理部１８を順次介して対応するスピーカ４（４ＦＬ、４ＦＲ、４ＣＴ、４ＳＬ、４ＳＲ、４ＳＢＬ、４ＳＢＲ及び４ＳＷ）から出力する。この結果、設定データＤ１に応じた音場が形成される。
【００３９】
（３−２）音場設定処理
また制御部１０は、例えば音場に対する設定開始命令を表す制御データが与えられた場合、データ記憶媒体１３に記憶された設定データＤ１及び設定画面データＤ２に基づくＧＵＩ画面データＤ３を、グラフィック処理部１５を介して生成させ、当該ＧＵＩ画面データＤ３に応じたＧＵＩ画面をＬＣＤ５（図１）に表示する。
【００４０】
そして制御部１０は、リモートコントローラＲＣＬなどの操作に応じて操作入力部１１から音場に対する設定変更命令が与えられたとき、その設定変更命令の内容に応じて、データ記憶媒体１３に記憶された設定データＤ１の内容を書き換える。
【００４１】
このとき制御部１０は、設定変更命令の内容が音像に関する内容であった場合、設定変更命令が与えられたとき、その設定変更命令に応じた音像となるように、所定のテスト音をスピーカ４から出力するとともに、当該音像をイメージとしてＬＣＤ５（図１）に表示することによって、聴覚及び視覚的に音像を表現し得るようになされている。
【００４２】
なお、この実施の形態の場合、ホームサーバ２では、各スピーカ４（４ＦＬ、４ＦＲ、４ＣＴ、４ＳＬ、４ＳＲ、４ＳＢＬ、４ＳＢＲ及び４ＳＷ）を、例えばリスニングルーム、キッチン、子供部屋等のそれぞれの音場空間毎に複数のグループとして割り当て、当該グループに属するスピーカ４から互いに異なる再生音又は同じ再生音を出力するように設定し得るようになされている。
【００４３】
従ってホームサーバ２では、各グループに属するスピーカ４をそれぞれ異なる音場空間に配置し、個々の音場空間をゾーンとして認識することにより、ゾーン単位での音場補正を一括して集中管理し得るようになされている。
【００４４】
（４）音場設定方法
次に、このホームサーバ２による音場設定方法を説明する。このホームサーバ２は、ＦＬ管１４ではなく、表示能力が豊かなＬＣＤ５に対して音場に関する各種設定画面を表示し、該設定画面を介して音場のエフェクトを、全体として又は部分ごとに設定することができるようになされている。
【００４５】
（４−１）音場エフェクトの全体設定
すなわち、ホームサーバ２の制御部１０は、電源の投入に伴い、グラフィック処理部１５により、図３に示すようなホーム画面ＨＭを生成し、これをＬＣＤ５に表示する。このホーム画面ＨＭは、「ビデオ」アイコンＡＣ１、「ミュージック」アイコンＡＣ２、「セッティング」アイコンＡＣ３が最上位の階層に配置される。
【００４６】
ここで、制御部１０は、「セッティング」アイコンＡＣ３を選択決定され、その下位階層にある「サウンドセッティング」アイコンＡＣ４を選択決定された場合、図４に示すサラウンド設定画面ＳＵＤをＬＣＤ５に表示する。
【００４７】
このサラウンド設定画面ＳＵＤは、現在の場面を表す領域（以下、これを場面表示領域と呼ぶ）ＡＲ１と、リモートコントローラＲＣＬにおける各種操作子のうち、操作可能な操作子を表す領域（以下、これを操作表示領域と呼ぶ）ＡＲ２と、音場（sound field）モードの設定内容を表す領域（以下、これを設定領域と呼ぶ）ＡＲ３とでなる。
【００４８】
場面表示領域ＡＲ１は、黒系統の呈色を帯びたバー状態でなり、サラウンド設定画面ＳＵＤの上端に配置される。この場面表示領域ＡＲ１の左端には、ホーム画面ＨＭ（図３）の最上位の階層に配置される各種アイコンＡＣ１〜ＡＣ３のうち現在対象となっているセッティングアイコンＡＣ３と、具体的なセッティング内容を表す名称（「Surround」）とが、白系統の呈色により表示される。
【００４９】
また場面表示領域ＡＲ１の中央には、現在の設定対象となっているリスニングポイントの名称（「Position 1」）及びイコライザ状態の名称（「EQ 1」）が、白系統の呈色により表示される。因みに、リスニングポイントの名称を「リビングルーム」とし、イコライザ状態の名称を「お父さんバージョン」とする等といったように、当該双方の名称は、他の設定画面においてリモートコントローラＲＣＬの操作により任意の名称に変更することができる。
【００５０】
またこの場面表示領域ＡＲ１の右端には、黄系統の呈色を帯びた矩形区域ＺＮが立体的に表示され、その立体的な矩形区域の中央位置に、現時点で選択されている音場モードの名称（例えば「PLII MUSIC」）が、黒系統の呈色により表示される。
【００５１】
したがってこの場面表示領域ＡＲ１は、矩形区域ＺＮを介して現時点で選択されている音場モードを際立たせることができ、これによりどのような音場モードが現在選択されているのかということを直感的に意識させた上で、設定操作させることができるようになされている。
【００５２】
一方、操作表示領域ＡＲ２は、場面表示領域ＡＲ１と同様に黒系統の呈色を帯びたバー状態でなり、サラウンド設定画面ＳＵＤの下端に配置される。この操作表示領域ＡＲ２には、リモートコントローラＲＣＬ（図１）における各種操作子のうち、操作可能な操作子の名称（「Return」、「Enter」、「Option」）が、白系統の呈色により等間隔で表示される。
【００５３】
これによりこの操作表示領域ＡＲ２は、数多く設けられている操作子のなかでどの操作子がサラウンド設定に関する操作子であるのかということを、ユーザに対して直感的に意識させることができ、この結果、誤操作を未然に防止させることができるようになされている。
【００５４】
他方、設定領域ＡＲ３は、場面表示領域ＡＲ１と操作表示領域ＡＲ２との間に配置され、当該設定領域ＡＲ３の中央には、複数の音場（sound field）モードと、当該音場モードに対する設定内容とを対応付けた表（以下、これを設定表と呼ぶ）ＴＢが表示される。
【００５５】
具体的にこの設定表ＴＢは、ジャンル欄Ｃ１、音場モード欄Ｃ２、第１の設定欄Ｃ３及び第２の設定欄Ｃ４を有し、該ジャンル欄Ｃ１には、ジャンルの名称（「MOVIE」、「MUSIC」等）が縦に並べられ、音場モード欄Ｃ２には、音場モードの名称（「V.Multi Dimension」、「Hall」等）が、対応するジャンルごとに縦に並べられる。
【００５６】
第１の設定欄Ｃ３には、音場モードにおけるエフェクトを全体として調整可能である場合、その調整可能である音場モードの名称に対応させて、調整パラメータが比率で表示される一方、調整不可能である場合、その調整可能である音場の名称に対応させて、「−」が表示される。因みに、エフェクトレベルの比率は、初期値が１００［％］とされ、その値の増減に応じて、当該音場効果が大きく又は小さくなる。
【００５７】
第２の設定欄Ｃ４には、音場モードにおけるエフェクトを部分ごとに調整可能である場合、その調整可能となる音場モードの名称に対応させて、「custom settings」の文字が表示される一方、調整不可能である場合、その調整可能である音場モードの名称に対応する項目は空白となる。
【００５８】
これによりこの設定領域ＡＲ３は、音場モードの種別（ジャンル）ごとに、当該音場モードに対するエフェクトレベル調整の可否、及び、当該レベル調整を全体的にできるのか又は部分的にできるのかということを、ユーザに対して直感的に把握させることができるようになされている。
【００５９】
また、この設定表ＴＢには、全表示長を表すスクロールバーＳＢと、該全表示長に対する現時点での表示位置を表すスクロールつまみＴＭとが右端に表示され、このスクロールつまみＴＭは、リモートコントローラＲＣＬ（図１）の操作に連動して、スクロールバーＳＢ上を移動するとともに、当該設定表ＴＢにおける各項目Ｃ１〜Ｃ４を縦スクロールさせるようになされている。
【００６０】
これによりこの設定領域ＡＲ３は、限られた表示領域（設定表ＴＢ）のなかで、すべての音場モードに対するエフェクトレベル調整の可否と、当該エフェクトの調整内容とを把握させることができるようになされている。
【００６１】
これに加えて、この設定領域ＡＲ３の設定表ＴＢには、黄系統の呈色を帯びたカーソルＣＬが、音場モード欄Ｃ２及び第１の設定欄Ｃ３上で、リモートコントローラＲＣＬ（図１）の操作に連動して移動自在に表示されるとともに、該設定表ＴＢの下方に設けられた説明欄ＥＣＡは、例えば「ジャズクラブの音響を再現します」といったように、カーソルＣＬが位置される音場モード欄Ｃ２に対応する音場モードの説明が表示される。
【００６２】
これによりこの設定領域ＡＲ３は、カーソルＣＬにより選択される音場モードのエフェクトイメージを、該音場モード欄Ｃ２に表示される名称及び説明により伝えることができるため、当該音場のエフェクトイメージを名称だけで伝える場合に比して、正確に、把握させることができるようになされている。
【００６３】
さらに、このカーソルＣＬは、リモートコントローラＲＣＬ（図１）における各操作子のうち、ジャンルに対応する操作子として割り当てられたボタンの押圧操作に連動して、当該押圧操作されたボタンに対応付けられたジャンルに属する音場モードの各項目のうち、先頭の音場モードの項目に移動するようになされている。
【００６４】
これによりこの設定領域ＡＲ３は、ジャンルという一定の秩序を有する単位でカーソルＣＬを移動させることができるため、無造作に並べられた音場モードの名称単位でカーソルを移動させる場合に比して、簡易に所望の音場モードの名称を選択させることができるようになされている。
【００６５】
ここで、図４に示したように、音場モードにおけるエフェクトを全体として調整可能なものとして、例えば「Jazz Club」が選択決定操作されると、制御部１０は、図５に示すように、該カーソルＣＬ幅を狭めて、第１の設定欄Ｃ３上だけにカーソルＣＬを配置させる。
【００６６】
このとき制御部１０は、上述したように、設定領域ＡＲ３の説明欄ＥＣに「Jazz Club」の音場モードに対応する説明を表示するため、ユーザに対して、エフェクトレベルの比率を変更した場合における音場モードのエフェクトを正確にイメージさせながら、当該エフェクトレベルの比率を変更させることができることとなる。
【００６７】
この状態において制御部１０は、この第１の設定欄Ｃ３に表示されるエフェクトレベルの比率「１００%」を、リモートコントローラＲＣＬ（図１）における上下方向のボタンの押圧操作に連動して増減し、該リモートコントローラＲＣＬ（図１）における決定ボタンが押圧操作されると、データ記録媒体１３に記憶された設定データＤ１の内容を、このときの比率に対応する内容に書き換えるようになされている。
【００６８】
（４−２）音場モードにおけるエフェクトの部分設定（１）
一方、図６に示すように、音場モードにおけるエフェクトを部分ごとに調整可能であるものとして、例えば「PLIIMusic」が選択決定操作されると、制御部１０は、図７に示すように、該カーソルＣＬ幅を狭めて、第２の設定欄Ｃ４上だけにカーソルＣＬを配置させる。
【００６９】
この状態において制御部１０は、リモートコントローラＲＣＬ（図１）により決定操作された場合、図８に示す第１のカスタム設定画面ＣＳＭ１をＬＣＤ５に表示する。
【００７０】
このカスタム設定画面ＣＳＭ１は、上述のサラウンド設定画面ＳＵＤ（図４）と同一の場面表示領域ＡＲ１及び操作表示領域ＡＲ２と、カスタム設定モードの内容を表す領域（以下、これをカスタム設定領域と呼ぶ）ＡＲ１３とでなる。
【００７１】
カスタム設定領域ＡＲ１３は、場面表示領域ＡＲ１と操作表示領域ＡＲ２との間に配置され、当該カスタム設定領域ＡＲ１３の中央には、リスニングルームを模した立体的な図形（以下、これをリスニングルーム図形と呼ぶ）ＦｉｇＲＭと、センターウィドゥスコントロールモード、ディメンションコントロールモード、パノラマモードにおけるエフェクトの状態を表した図形（以下、これをエフェクト図形と呼ぶ）ＦｉｇＣ、ＦｉｇＤ、ＦｉｇＰとが表示される。
【００７２】
具体的に、このリスニングルーム図形ＦｉｇＲＭは、リスニングポイントを「▽」により表示するとともに、該リスニングポイントを基準として、左フロントスピーカ、右フロントスピーカ、センタスピーカ、左サラウンドスピーカ、右サラウンドスピーカ、左サラウンドバックスピーカ、右サラウンドバックスピーカ及びサブウーファをそれぞれ模したスピーカアイコンを少なくとも表示するようになされている。
【００７３】
因みに、この実施の形態のリスニングルーム図形ＦｉｇＲＭでは、ホームサーバ２に対して実際のスピーカ４（図１：４ＦＬ、４ＦＲ、４ＣＴ、４ＳＬ、４ＳＲ、４ＳＢＬ、４ＳＢＲ及び４ＳＷ）が接続されていない場合、対応するスピーカアイコンは非表示状態とされる。
【００７４】
また、各エフェクト図形ＦｉｇＣ、ＦｉｇＤ、ＦｉｇＰは、形状によりエフェクトの広がりの程度及び方向を表し、また、濃淡によりエフェクトの強弱を表し、さらに、リスニングルーム図形ＦｉｇＲＭにおけるスピーカアイコンとの位置関係により実際の音場空間の雰囲気を表すようになされている。
【００７５】
したがって、このカスタム設定領域ＡＲ１３は、ユーザに対して、カスタム設定モードにおけるエフェクトのイメージを、正確に（客観的に）、把握させることができるようになされている。このため、ユーザは、マニュアル等を読むことなく、所望のカスタム設定モードを選択することができることとなる。
【００７６】
これに加えて、これら各エフェクト図形ＦｉｇＣ、ＦｉｇＤ、ＦｉｇＰの近傍には、対応するカスタム設定モードの名称（「Center Width Control」、「Dimension Control」及び「Panorama Mode」）が文字表示され、これら名称を、リモートコントローラＲＣＬ（図１）の操作に連動して移動するカーソルＣＬが表示される。
【００７７】
そして、カスタム設定領域ＡＲ１３の下端に設けられた説明欄ＥＣｂには、カーソルＣＬが位置しているカスタム設定モードのエフェクト内容が表示される。具体的には、カーソルＣＬがセンターウィドゥスコントロールモードに位置している場合、「ドルビープロロジックIIで生成したセンターチャンネルの音声を、フロントＬ／Ｒスピーカに振り分ける調整ができます」といった内容が表示される。
【００７８】
また、ディメンションコントロールモードに位置している場合、「フロントチャンネルとサラウンドチャンネルのレベル差を強調します」といった内容が表示され、パノラマモードに位置している場合、「フロントの音場を左右に回りこませて、サラウンドにつながるような音場モード（パノラマモード）にします」といった内容が表示される。
【００７９】
これによりこのカスタム設定領域ＡＲ１３は、カーソルＣＬにより選択されるカスタム設定モードにおけるエフェクトイメージを、各エフェクト図形ＦｉｇＣ、ＦｉｇＤ、ＦｉｇＰだけが表示される場合に比して、一段と正確に（客観的に）、把握させることができるようになされている。
【００８０】
ここで、例えばパノラマモードが選択決定された場合、制御部１０は、図９に示すように、「Panorama Mode」に対応するエフェクト図形ＦｉｇＰの色を、他のエフェクト図形ＦｉｇＣ、ＦｉｇＤと異なる色に変更する。因みに、説明の便宜上、この図９では、パノラマモードに対応するエフェクト図形ＦｉｇＰだけを図示している。
【００８１】
また、制御部１０は、「Panorama Mode」の文字の直下に、「ＯＮ」及び「ＯＦＦ」の調整パラメータを表示するとともに、該調整パラメータにカーソルＣＬを移動させる。そして制御部１０は、「ＯＮ」の項目が選択されているときには、この図９に示してあるように、エフェクト図形ＦｉｇＰを表示するとともに、「ＯＦＦ」が選択されているときには、図１０に示すように、リスニングルーム図形ＦｉｇＲＭからエフェクト図形ＦｉｇＰを消去する。
【００８２】
このパノラマモードが選択決定されている場合、制御部１０は、該パノラマモードが「フロントの音場を左右に回りこませて、サラウンドにつながる」といった内容であることを、説明欄ＥＣｂにおける説明文により伝えるとともに、矢印のエフェクト図形ＦｉｇＰによってパノラマモードにおけるエフェクトの広がりの程度、方向、強弱などを表現するため、音場モードのエフェクトをユーザに対して正確にイメージさせながら、このパノラマモードのオン又はオフ設定を実行させることができることとなる。
【００８３】
この状態において、制御部１０は、オン又はオフの設定操作がされると、データ記録媒体１３に記憶された設定データＤ１の内容を、パロラマモードがオン又はオフである旨の内容に書き換えるようになされている。
【００８４】
一方、センターウィドゥスコントロールモードが選択決定された場合、制御部１０は、図１１に示すように、センターウィドゥスコントロールモードに対応するエフェクト図形ＦｉｇＣの色を、他のエフェクト図形ＦｉｇＤ、ＦｉｇＰと異なる色に変更する。因みに、説明の便宜上、この図１１では、センターウィドゥスコントロールモードに対応するエフェクト図形ＦｉｇＣだけを図示している。
【００８５】
また、制御部１０は、カーソルＣＬに代えて、逆三角形状のポインタＰを、エフェクト図形ＦｉｇＣの対応する位置に、センターウィドゥスコントロールモードの調整パラメータ値とともに表示させる。この調整パラメータの値は、センタスピーカ４ＣＴ（図１）に対応するチャンネルのオーディオ信号を左フロントスピーカ４ＦＬ（図１）、右フロントスピーカ４ＦＲ（図１）に振り分ける割合を、８段階で表すようになされている。
【００８６】
この実施の形態の場合、図１１に示すように、リモートコントローラＲＣＬの操作によりポインタＰがエフェクト図形ＦｉｇＣの真ん中に位置されたとき、制御部１０は、調整パラメータ値を「０」段階として表示するとともに、センタスピーカ４ＣＴ（図１）に対応するチャンネルのオーディオ信号の振り分け割合を最小として仮設定する。
【００８７】
また制御部１０は、エフェクト図形ＦｉｇＣのセンター位置から左端にポインタＰが近づくに応じて、調整パラメータ値を「１」段階ずつ上げていくとともに、当該段階に応じて、センタスピーカ４ＣＴ（図１）に対応するチャンネルのオーディオ信号の振り分け割合を上げた状態で仮設定する。因みに、調整パラメータ値が「３」段階のときには、センターチャンネルと、左フロントチャンネルと、右フロントチャンネルとの比は等しくなる。
【００８８】
さらに制御部１０は、図１２に示すように、エフェクト図形ＦｉｇＣの左端にポインタＰが位置されたとき、調整パラメータ値を「７」段階として表示するとともに、センタスピーカ４ＣＴ（図１）に対応するチャンネルのオーディオ信号の振り分け割合を最大として仮設定する。
【００８９】
このセンターウィドゥスコントロールモードが選択決定されている場合、制御部１０は、センターウィドゥスコントロールモードが「センターチャンネルの音声をフロントＬ／Ｒスピーカに振り分ける」といった内容であることを、説明欄ＥＣｂにおける説明文により伝えるとともに、図１１及び図１２にも示すように、バー状の矢印のエフェクト図形ＦｉｇＰによってセンターウィドゥスコントロールモードにおけるエフェクトの広がりの程度、方向、強弱などを表現するため、音場モードのエフェクトをユーザに対して正確にイメージさせながら、この「Center Width Control」の仮設定を実行させることができることとなる。
【００９０】
この状態において、制御部１０は、設定操作がされると、データ記録媒体１３に記憶された設定データＤ１の内容を、当該操作時に仮設定していた内容に書き換えるようになされている。
【００９１】
他方、ディメンションコントロールモードが選択決定された場合、制御部１０は、図１３に示すように、ディメンションコントロールモードに対応するエフェクト図形ＦｉｇＤの色を、他のエフェクト図形ＦｉｇＣ、ＦｉｇＰと異なる色に変更する。因みに、説明の便宜上、この図１３では、パノラマモードに対応するエフェクト図形ＦｉｇＤだけを図示している。
【００９２】
また、制御部１０は、カーソルＣＬに代えてポインタＰを、エフェクト図形ＦｉｇＤの対応する位置に、ディメンションコントロールモードの調整パラメータ値とともに表示させる。この調整パラメータの値は、フロントチャンネルとサラウンドチャンネルのレベル差を、７段階で表すようになされている。
【００９３】
この実施の形態の場合、図１３に示したように、リモートコントローラＲＣＬの操作によりポインタＰがエフェクト図形ＦｉｇＤの真ん中に位置されたとき、制御部１０は、調整パラメータ値を「０」段階として表示するとともに、フロントチャンネルとサラウンドチャンネルのレベル差を最小として仮設定する。
【００９４】
そして制御部１０は、エフェクト図形ＦｉｇＤのセンター位置から左端にポインタＰが近づくに応じて、調整パラメータ値を「１」段階ずつ上げていくとともに、当該段階に応じて、フロントチャンネルのレベルを所定割合だけ引き上げ、かつ、サラウンドチャンネルレベルを所定割合だけ引き下げた状態で仮設定していく。
【００９５】
図１４に示すように、エフェクト図形ＦｉｇＤの左端にポインタＰが位置されたとき、制御部１０は、調整パラメータ値を「＋３」段階として表示するとともに、フロントチャンネルの引き上げ割合を最大、かつ、サラウンドチャンネルの引き下げ割合を最小として仮設定する。
【００９６】
これに対して、制御部１０は、エフェクト図形ＦｉｇＤのセンター位置から右端にポインタＰが近づくに応じて、調整パラメータ値を「１」段階ずつ上げていくとともに、当該段階に応じて、フロントチャンネルのレベルを所定割合だけ引き下げ、かつ、サラウンドチャンネルレベルを所定割合だけ引き上げた状態で仮設定していく。
【００９７】
図１５に示すように、エフェクト図形ＦｉｇＤの右端にポインタＰが位置されたとき、制御部１０は、調整パラメータ値を「＋３」段階として表示するとともに、フロントチャンネルの引き下げ割合を最小、かつ、サラウンドチャンネルの引き上げ割合を最大として仮設定する。
【００９８】
このディメンションコントロールモードが選択決定されている場合、制御部１０は、ディメンションコントロールモードが「フロントチャンネルとサラウンドチャンネルのレベル差を強調する」といった内容であることを、説明欄ＥＣｂにおける説明文により伝えるとともに、図１３〜図１５にも示すように、バー状の矢印のエフェクト図形ＦｉｇＰによってディメンションコントロールモードにおけるエフェクトの広がりの程度、方向、強弱などを表現するため、音場モードのエフェクトをユーザに対して正確にイメージさせながら、このディメンションコントロールモードの仮設定を実行させることができることとなる。
【００９９】
この状態において、制御部１０は、決定操作がされると、データ記録媒体１３に記憶された設定データＤ１の内容を、当該操作時に仮設定した内容に書き換えるようになされている。
【０１００】
（４−３）音場モードにおけるエフェクトの部分設定（２）
他方、音場モードにおけるエフェクトを部分ごとに調整可能であるものとして、図１６に示すように、例えば「CINEMA STUDIO EX」の項目が選択決定操作された場合、図８との対応部分に同一符号を付した図１７に示す第２のカスタム設定画面ＣＳＭ２をＬＣＤ５に表示する。
【０１０１】
このカスタム設定画面ＣＳＭ２におけるカスタム設定領域ＡＲ１３の中央には、リスニングルーム図形ＦｉｇＲＭと、スクリーンデプスモードにおけるエフェクト図形ＦｉｇＳＤ及び仮想スピーカアイコンＡＳＤと、バーチャルスピーカモードにおけるエフェクト図形ＦｉｇＶＳ及び仮想スピーカアイコンＡＶＳとが表示される。
【０１０２】
また、これら各エフェクト図形ＦｉｇＳＤ、ＦｉｇＶＳの近傍には、対応するカスタム設定モードの名称「Screen Depth」及び「Virtual Speakers」が文字表示され、これら名称を、リモートコントローラＲＣＬ（図１）の操作に連動して移動するカーソルＣＬが表示される。
【０１０３】
そして、カスタム設定領域ＡＲ１３の下端に設けられた説明欄ＥＣｂには、カーソルＣＬが位置しているカスタム設定モードのエフェクト内容が表示される。具体的には、カーソルＣＬが「Screen Depth」に位置している場合、「奥行きが非常に大きなスクリーンから音が出てくるような感覚をつくり出します」といった内容が表示され、「Virtual Speakers」に位置している場合、「仮想スピーカを生成します」といった内容が表示される。
【０１０４】
ここで、スクリーンデプスモードが選択決定された場合、制御部１０は、図１８に示すように、「Screen Depth」の文字の直下に、「ＯＮ」及び「ＯＦＦ」の調整パラメータを表示するとともに、該調整パラメータにカーソルＣＬを移動させる。因みに、説明の便宜上、この図１８では、スクリーンデプスモードに対応するエフェクト図形ＦｉｇＳＤだけを図示している。
【０１０５】
そして制御部１０は、「ＯＮ」の項目が選択されているときには、この図１８に示したように、スクリーンデプスモードが「奥行きが非常に大きなスクリーンから音が出てくるような感覚をつくり出す」といった内容であることを、説明欄ＥＣｂにおける説明文により伝える。
【０１０６】
また制御部１０は、リスニングルーム図形ＦｉｇＲＭにおけるフロントスピーカの後上方に、３つの仮想スピーカアイコンＡＳＤを表示するとともに、当該仮想スピーカアイコンＡＳＤから円状のエフェクト図形ＦｉｇＳＤを表示することによって、スクリーンデプスモードにおけるエフェクトの広がりの程度、方向、強弱などを表現することができるようになされている。
【０１０７】
これに対して、制御部１０は、「ＯＦＦ」の項目が選択されているときには、図１９に示すように、仮想スピーカアイコンＡＳＤ及びエフェクト図形ＦｉｇＳＤを、リスニングルーム図形ＦｉｇＲＭから消去する。この結果、制御部１０は、スクリーンデプスモードのエフェクトをユーザに対して正確にイメージさせながら、このスクリーンデプスモードのオン又はオフの設定を実行させることができることとなる。
【０１０８】
この状態において、制御部１０は、オン又はオフの設定操作がされると、データ記録媒体１３に記憶された設定データＤ１の内容を、スクリーンデプスモードがオン又はオフである旨の内容に書き換えるようになされている。
【０１０９】
一方、カーソルＣＬが、バーチャルスピーカモードが選択決定された場合、制御部１０は、図２０に示すように、「Virtual Speakers」の文字の直下に、「ＯＮ」及び「ＯＦＦ」の調整パラメータを表示するとともに、該調整パラメータにカーソルＣＬを移動させる。因みに、説明の便宜上、この図２０では、バーチャルスピーカモードに対応するエフェクト図形ＦｉｇＶＳだけを図示している。
【０１１０】
そして制御部１０は、「ＯＮ」の項目が選択されているときには、この図２０に示したように、バーチャルスピーカモードが「仮想スピーカを生成する」といった内容であることを、説明欄ＥＣｂにおける説明文により伝える。
【０１１１】
また制御部１０は、リスニングルーム図形ＦｉｇＲＭにおける左サラウンドスピーカ、右サラウンドスピーカ、左サラウンドバックスピーカ及び右サラウンドバックスピーカの上方に、１０つの仮想スピーカアイコンＡＶＳを表示するとともに、当該仮想スピーカアイコンＡＶＳから円状のエフェクト図形ＦｉｇＶＳを表示することによって、バーチャルスピーカモードにおけるエフェクトの広がりの程度、方向、強弱などを表現することができるようになされている。
【０１１２】
これに対して、制御部１０は、「ＯＦＦ」の項目が選択されているときには、図２１に示すように、仮想スピーカアイコンＡＶＳ及びエフェクト図形ＦｉｇＶＳを、リスニングルーム図形ＦｉｇＲＭから消去する。この結果、制御部１０は、バーチャルスピーカモードのエフェクトをユーザに対して正確にイメージさせながら、このバーチャルスピーカモードのオン又はオフの設定を実行させることができることとなる。
【０１１３】
この状態において、制御部１０は、オン又はオフの設定操作がされると、データ記録媒体１３に記憶された設定データＤ１の内容を、バーチャルスピーカモードがオン又はオフである旨の内容に書き換えるようになされている。
【０１１４】
（５）動作及び効果
以上の構成において、このＡＶシステム１は、音場モードの名称をジャンルごとに並べ、当該音場モードにおけるエフェクトを全体として調整可能である場合、その調整可能である音場モードの名称に対応させて、調整パラメータを表示し、当該音場モードにおけるエフェクトを部分ごとに調整可能である場合、その調整可能となる音場モードの名称に対応させて、調整可能であることを表す識別子（「custom settings」）を表示する（図４等）。
【０１１５】
したがって、このＡＶシステム１は、音場モードの種別（ジャンル）ごとに、当該音場モードに対するエフェクトレベル調整の可否、及び、当該レベル調整を全体的にできるのか又は部分的にできるのかということを、ユーザに対して直感的に認識させた上で設定操作を行わせることができる。
【０１１６】
また、このＡＶシステム１では、音場空間に対する音場設定を各種ＧＵＩ画面の流れに沿った指示通りユーザに操作させるだけで済むので、簡単に音場設定操作を実行させることができると共に、各ＧＵＩ画面に音場の説明等を文字表示することにより、ユーザに取扱説明書を読ませることなく音場の状態等を提示し、かつ容易に理解させることができる。
【０１１７】
さらに、ＡＶシステム１では、音場モードにおけるエフェクトを部分ごとに調整する場合には、当該部分のエフェクトの状態を表した図形（図８のエフェクト図形ＦｉｇＰ、ＦｉｇＤ、ＦｉｇＣや、図１７のエフェクト図形ＦｉｇＳＤ、ＦｉｇＶＳ）を、所定のリスニングルームに対応する立体図形（リスニングルーム図形ＲＭ）上に表示する。
【０１１８】
したがって、このＡＶシステム１は、音場の説明文ではイメージし難い場合であったとしても、音場効果を視覚を通じて直感的に認識させた上で設定操作を行わせることができる。
【０１１９】
これに加えて、ＡＶシステム１では、音場モードにおけるエフェクトを部分ごとに調整する場合、当該調整パラメータの可変に応じて、対応するエフェクトの状態を表した図形（図８のエフェクト図形ＦｉｇＰ、ＦｉｇＤ、ＦｉｇＣや、図１７のエフェクト図形ＦｉｇＳＤ、ＦｉｇＶＳ）を、リスニングルーム図形ＲＭ上で変化させるため、設定した場合の音場効果を、より一段と直感的に認識させた上で設定させることができる。
【０１２０】
以上の構成によれば、このＡＶシステム１では、音場設定操作を従来に比較して一段と容易にさせ得るグラフィカルユーザインタフェースを提供することができる。
【０１２１】
（６）他の実施の形態
なお上述の実施の形態においては、一通りのＧＵＩ画面の流れを説明したが、本発明はこれに限らず、ＧＵＩ画面の画面遷移としてはその他種々の組み合わせや順番に変更するようにしても良い。
【０１２２】
また上述の実施の形態においては、設定画面として、図４に示す構成のサラウンド設定画面ＳＵＤ、図８に示す構成のカスタム設定画面ＣＳＭ１及び図１７に示す構成のカスタム設定画面ＣＳＭ２を適用するようにした場合について述べたが、本発明はこれに限らず、種々の構成態様を適用することができる。
【０１２３】
例えば、設定表ＴＢにおける各種音場モードを名称で表示ようにしたが、これに代えて、当該音場モードをアイコンで表示するようにしても良い。また例えば、音場モードにおけるエフェクトを全体として調整する場合には、当該調整パラメータを比率により表示するようにしたが、これに代えて、当該音場モードにおけるエフェクトを図形により表示し、この図形を、調整パラメータの可変に応じて変更するようにしても良い。
【０１２４】
また例えば、音場モードにおけるエフェクトを部分的に調整可能である場合、設定表ＴＢに「custom settings」を文字表示ようにしたが、これに代えて、当該エフェクトを部分的に調整可能であることを表すアイコンを表示するようにしても良い。要は、音場モードにおけるエフェクトを部分的に調整可能であることを識別する識別子であれば良い。
【０１２５】
また例えば、エフェクトの状態を表した図形（図８のエフェクト図形ＦｉｇＰ、ＦｉｇＤ、ＦｉｇＣや、図１７のエフェクト図形ＦｉｇＳＤ、ＦｉｇＶＳ）を、バーや矢印により表したが、これに代えて、当該音場効果の空間をポリゴンにより表すようにしても良い。このようにすれば、音場モードのエフェクトを、ユーザに対してより一段と直感的に認識させることができる。
【０１２６】
また例えば、センターウィドゥスコントロールモードにおける設定では、センタスピーカ４ＣＴ（図１）に対応するチャンネルのオーディオ信号の左右の振り分け割合を調整するようにしたが、これに代えて、左右別々に振り分け割合を調整するようにしても良い。
【０１２７】
また例えば、サラウンド設定画面ＳＵＤにおける設定領域ＡＲ３と、カスタム設定画面ＣＳＭ１、ＣＳＭ２におけるカスタム設定領域ＡＲ１３とを、スクロールバー等を用いて、同一画面内に表示するようにしても良い。
【０１２８】
このように本発明は、これら例として挙げた事項以外にも、種々の構成の設定画面を適用することができる。
【０１２９】
さらに上述の実施の形態においては、ホームサーバ２の制御部１０がＲＯＭに格納されたプログラムをＲＡＭ上に展開し、そのプログラムに従って、ＧＵＩを用いた音場設定処理を実行するようにした場合について述べたが、本発明はこれに限らず、制御部１０がＣＤ(Compact Disc)、ＤＶＤ(Digital Versatile Disc)、半導体メモリ等の記録媒体からインストールしたプログラムや、インターネットからダウンロードしたプログラムに従って音場設定処理を実行するようにしても良い。
【０１３０】
さらに上述の実施の形態においては、マルチチャンネルに対応した複数のスピーカ４を接続対象とした音響装置（ホームサーバ２）の構成要素として、複数の音場モードのうち、選択された音場モードに基づく音場を形成する音場形成手段（ディジタル信号処理部１６、配信処理部１７及びアナログ信号処理部１８）と、複数の音場モードと、当該音場モードに対する設定内容との対応付け表を表示する表示制御手段（グラフィック処理部１５）とを、ハードウェア的に構成するようにした場合について述べたが、本発明はこれに限らず、これら構成要素をソフトウェア的に構成するようにしても良い。
【産業上の利用可能性】
【０１３１】
本発明は、例えばマルチチャンネル対応のＤＶＤマルチスピーカシステム、車載用のマルチチャンネルスピーカシステム、劇場のマルチスピーカシステム等において複数のスピーカ設定を行う用途に利用可能である。
【図面の簡単な説明】
【０１３２】
【図１】ＡＶシステムの全体構成を示す略線図である。
【図２】ホームサーバの構成を示す略線的ブロック図である。
【図３】ホーム画面を示す略線図である。
【図４】サラウンド設定画面を示す略線図である。
【図５】エフェクトレベルの設定を示す略線図である。
【図６】カーソルの移動（１）を示す略線図である。
【図７】カーソルの移動（２）を示す略線図である。
【図８】カスタム設定画面（１）を示す略線図である。
【図９】パノラマモードのオン状態を示す略線図である。
【図１０】パノラマモードのオフ状態を示す略線図である。
【図１１】センターウィドゥスコントロールモードの設定状態（１）を示す略線図である。
【図１２】センターウィドゥスコントロールモードの設定状態（２）を示す略線図である。
【図１３】ディメンションコントロールモードの設定状態（１）を示す略線図である。
【図１４】ディメンションコントロールモードの設定状態（２）を示す略線図である。
【図１５】ディメンションコントロールモードの設定状態（３）を示す略線図である。
【図１６】カーソルの移動（３）を示す略線図である。
【図１７】カスタム設定画面（２）を示す略線図である。
【図１８】スクリーンデプスモードのオン状態を示す略線図である。
【図１９】スクリーンデプスモードのオフ状態を示す略線図である。
【図２０】バーチャルスピーカモードのオン状態を示す略線図である。
【図２１】バーチャルスピーカモードのオフ状態を示す略線図である。
【符号の説明】
【０１３３】
１……ＡＶシステム、２……ホームサーバ、３Ａ……ＤＶＤプレーヤ、３Ｂ……ＣＤプレーヤ、３Ｃ……携帯型音楽プレーヤ、４ＦＲ……右フロントスピーカ、４ＦＬ……左フロントスピーカ、４ＳＲ……右サラウンドスピーカ、４ＳＬ……左サラウンドスピーカ、４ＣＴ……センタスピーカ、４ＳＢＲ……右サラウンドバックスピーカ、４ＳＢＬ……左サラウンドバックスピーカ、４ＳＷ……サブウーファ、ＲＣＬ……リモートコントローラ、１０……制御部、１１……操作入力部、１２……インタフェース、１３……データ記憶媒体、１４……ＦＬ管、１５……グラフィック処理部、１６……ディジタル信号処理部、１７……配信処理部、１８……アナログ信号処理部。
【図１】
2008072400.tif 000003
【図２】
2008072400.tif 000004
【図３】
2008072400.tif 000005
【図４】
2008072400.tif 000006
【図５】
2008072400.tif 000007
【図６】
2008072400.tif 000008
【図７】
2008072400.tif 000009
【図１０】
2008072400.tif 000010
【図１６】
2008072400.tif 000011
【図１９】
2008072400.tif 000012
【図２１】
2008072400.tif 000013
【図８】
2008072400.tif 000014
【図９】
2008072400.tif 000015
【図１１】
2008072400.tif 000016
【図１２】
2008072400.tif 000017
【図１３】
2008072400.tif 000018
【図１４】
2008072400.tif 000019
【図１５】
2008072400.tif 000020
【図１７】
2008072400.tif 000021
【図１８】
2008072400.tif 000022
【図２０】
2008072400.tif 000023